(57)【要約】【課題】  リレーの故障を検出可能であるとともに、リレーが故障しても負荷に電源を供給可能な電源装置およびこの電源装置を具備する負荷制御システムを提供する。【解決手段】  電源装置２は、入力部１０および出力部１１の間に設けられ、入力部１０および出力部１１の電気接続を開閉するリレー６と、リレー６に並列的に接続され、オン操作によりリレー６の両端間を短絡する手動操作が可能な開閉手段７と、リレー６の開閉を制御する外部信号、入力部１０に入力する入力電圧および出力部１１から出力する出力電圧を入力し、外部信号に応じてリレー６を開閉し、入力電圧および出力電圧からリレー６の開閉状態を検出する制御部８と、を具備している。【選択図】図１
2016046124.tif 000002
【特許請求の範囲】
【請求項１】
入力部および出力部の間に設けられ、前記入力部および前記出力部の電気接続を開閉するリレーと；
このリレーに並列的に接続され、オン操作により前記リレーの両端間を短絡する手動操作が可能な開閉手段と；
前記リレーの開閉を制御する外部信号、前記入力部に入力する入力電圧および前記出力部から出力する出力電圧を入力し、前記外部信号に応じて前記リレーを開閉し、前記入力電圧および前記出力電圧から前記リレーの開閉状態を検出する制御部と；
を具備していることを特徴とする電源装置。
【請求項２】
前記開閉手段は、少なくとも２極を有してなり、この２極のうちの一方の極の両端子間が前記リレーと並列的となるように接続され、２極のうちの他方の極の両端子が前記制御部に接続され、前記制御部は、前記他方の極の両端子間の開閉に応じて前記開閉手段のオンオフ操作を検出することを特徴とする請求項１記載の電源装置。
【請求項３】
前記制御部は、前記開閉手段のオンオフ操作に応じた監視信号を出力することを特徴とする請求項２記載の電源装置。
【請求項４】
前記制御部は、前記出力部の出力電圧が前記外部信号に応じた前記リレーの開閉によるものでないと判断するときには、異常信号を出力することを特徴とする請求項１ないし３いずれか一記載の電源装置。
【請求項５】
前記リレーは、ラッチリレーであることを特徴とする請求項１ないし４いずれか一記載の電源装置。
【請求項６】
前記開閉手段は、ブレーカであることを特徴とする請求項１ないし５いずれか一記載の電源装置。
【請求項７】
請求項１ないし６いずれか一記載の電源装置と；
この電源装置の前記制御部に外部信号を送信する操作装置と；
前記電源装置の前記出力部に接続される負荷と；
を具備していることを特徴とする負荷制御システム。
【発明の詳細な説明】
【技術分野】
【０００１】
本発明の実施形態は、負荷への電源の供給をオンオフする電源装置および負荷制御システムに関する。
【背景技術】
【０００２】
舞台やスタジオ等の演出照明には、多数の照明負荷が設けられている。照明負荷は、例えば調光盤に設けられた電源装置により、点灯、消灯および調光されている。すなわち、照明負荷が電球の場合には、調光盤に調光器が設けられており、この調光器は、調光卓などの調光操作装置から送信された調光信号に応じて、照明負荷を点灯、消灯または調光させている（例えば特許文献１参照。）。
【０００３】
近年、照明負荷は、長寿命、省電力、低発熱量や色光の容易化などの利点を有するＬＥＤ（発光ダイオード）が用いられている。このＬＥＤを搭載する照明器具は、調光信号を受信する調光器およびＬＥＤを点灯する点灯装置を内蔵している。そして、調光盤には、調光操作装置から送信された調光信号を各照明器具に分配するスプリッタおよび各照明器具の点灯装置への電源の供給をオンオフする電源装置が配設されている（例えば特許文献２参照。）。電源装置は、リレーを有して構成され、このリレーを調光信号に応じてオンオフ制御することにより、照明器具側へ電源をオンオフしている。
【先行技術文献】
【特許文献】
【０００４】
【特許文献１】特開２００９−１１０９１２号公報（第３頁、第１図）
【特許文献２】特開２０１３−５１１３９号公報（第４−６頁、第１図）
【発明の概要】
【発明が解決しようとする課題】
【０００５】
電源装置は、リレーが故障し、リレーの両端間が開放状態になると、照明器具に電源供給をすることができないという問題がある。また、調光操作装置のシステムダウンや伝送線の断線等により、電源装置に適正な調光信号が入力されなくなると、リレーがオンオフ制御されなくなり、スタジオ等の演出照明に支障を来すおそれがある。
【０００６】
本実施形態は、リレーの故障を検出可能であるとともに、リレーが故障しても負荷に電源を供給可能な電源装置およびこの電源装置を具備する負荷制御システムを提供することを目的とする。
【課題を解決するための手段】
【０００７】
本実施形態の電源装置は、リレー、開閉手段および制御部を有して構成される。リレーは、電源装置の入力部および出力部の間に設けられて、入力部および出力部の電気接続を開閉する。開閉手段は、手動操作が可能なものであり、リレーに並列的に接続されて、オン操作によりリレーの両端間を短絡する。
【０００８】
制御部は、リレーの開閉を制御する外部信号、入力部に入力する入力電圧および出力部から出力する出力電圧を入力する。そして、制御部は、外部信号に応じてリレーを開閉するとともに、入力電圧および出力電圧からリレーの開閉状態を検出するように形成される。
【発明の効果】
【０００９】
本実施形態の電源装置によれば、入力部の入力電圧および外部信号に応じた出力部の出力電圧からリレーの開閉状態を検出することにより、リレーの故障の有無を判断することができ、リレーのオンオフが外部から制御不能となったときには、開閉手段を手動でオン操作することにより、出力部からの電源供給を復帰させることができる。
【図面の簡単な説明】
【００１０】
【図１】本発明の第１の実施形態を示す負荷制御システムのブロック図である。
【図２】同上、電源装置の一系統の概略回路図である。
【図３】同上、電源装置であり、（ａ）は内部を示す概略上面図、（ｂ）は概略正面図である。
【図４】同上、電源盤の内部を示す概略正面図である。
【図５】本発明の第２の実施形態を示す電源装置の一系統の概略回路図である。
【発明を実施するための形態】
【００１１】
以下、本発明の一実施形態について、図面を参照して説明する。まず、本発明の第１の実施形態について説明する。
【００１２】
本実施形態の負荷制御システム１は、図１に示すように、電源装置２、操作装置３および負荷４を有して構成される。電源装置２は、主ブレーカ５を介して交流電源Ｖｓに接続され、交流電源Ｖｓの負荷４への供給をオンオフするものである。操作装置３は、交流電源Ｖｓが負荷４に供給され、または交流電源Ｖｓの負荷４への供給が遮断されるように電源装置２を制御するものである。負荷４は、交流電源Ｖｓを入力することにより、動作して、所定の機能を出力するものである。交流電源Ｖｓは、商用交流電源や自家発電用交流電源など、特に問わない。  
【００１３】
負荷制御システム１は、一例として、照明制御システムとして運用することが可能である。この場合、操作装置３は、調光信号を送信する例えば調光操作卓であり、負荷４は、例えば、光源としての不図示のＬＥＤおよびこのＬＥＤを調光点灯する不図示の点灯装置を搭載する照明器具である。調光操作卓から送信される調光信号は、外部信号であり、電源装置２に対して交流電源Ｖｓの負荷４への供給をオンオフさせるオンオフ制御信号と、照明器具の点灯装置に対してＬＥＤの光出力を可変する調光制御信号とを包含する。点灯装置は、調光器の機能を有する。調光信号は、電源装置２に送信されるとともに、各照明器具の点灯装置に不図示の伝送線を介して送信されている。  
【００１４】
そして、本実施形態の電源装置２は、リレー６、開閉手段としてのブレーカ７、制御部としての制御回路８、分岐ブレーカ９、入力部１０および出力部１１を有して形成されている。リレー６、ブレーカ７および分岐ブレーカ９は、それぞれ汎用品を用いている。これらは、分岐ブレーカ９を前段側とし、リレー６およびブレーカ７を後段側として、入力部１０および出力部１１の間に設けられている。  
【００１５】
入力部１０は、主ブレーカ５と分岐ブレーカ９との電路を分配し、端子やコネクタなどの電気接続手段に形成される。また、出力部１１は、リレー６と負荷４との電気接続部であり、入力部１０と同様に端子やコネクタなどの電気接続手段に形成される。ここでは、入力部１０および出力部１１は、それぞれ端子とする。そして、入力部１０および出力部１１の間に分岐ブレーカ９およびリレー６が直列接続されている。ブレーカ７は、リレー６に並列的に接続されている。  
【００１６】
そして、本実施形態では、例えば１個の入力部１０および３個の出力部１１が１組となり、この１組の入力部１０および各出力部１１と、入力部１０および各出力部１１の間にそれぞれ設けられる分岐ブレーカ９、リレー６およびブレーカ７と、１個の制御回路８とを有して１個の電源ユニット１２を形成している。電源ユニット１２は、３系統で負荷４が接続される。なお、電源ユニット１２において、入力部１０は１個である必要はなく、出力部１１に対応した数量であってもよい。  
【００１７】
電源ユニット１２は、図３（ａ）に示すように、略直方体の箱状に形成された枠体１３内にリレー６、ブレーカ７、制御回路８および分岐ブレーカ９を配設している。制御回路８は、平板状の基板に電子部品等を実装して形成されている。ブレーカ７および分岐ブレーカ９は、図３（ｂ）に示すように、それらのハンドル７ａ，９ａが枠体１３の前面１３ａ側に露出するように設けられている。また、枠体１３の前面１３ａ側には、３個の出力部１１が露出するように設けられている。出力部１１は、一対の出力端子１１ａ，１１ｂからなっている。  
【００１８】
図３（ａ）に示すように、枠体１３の背面１３ｂ側には、入力部１０および制御用コネクタ１４が配設されている。入力部１０は、一対の入力端子１０ａ，１０ｂからなっている。制御用コネクタ１４は、制御回路８に電気接続されており、操作装置３に電気接続される。また、枠体１３の両側面１３ｃ，１３ｃ側には、図３（ｂ）に示すように、それぞれ取付孔１５，１５を有する平板状の取付片１６が設けられている。  
【００１９】
そして、電源ユニット１２は、図４に示すように、開閉用扉１７，１７が設けられた電源盤（調光盤）１８内に多数個が配設されている。電源盤１８は、大型の箱状に形成されている。多数個の電源ユニット１２は、その長手方向を電源盤１８の水平方向にして、電源盤１８の上下方向に並設されている。電源ユニット１２は、その取付片１６の取付孔１５，１５を通したねじを電源盤１８内の不図示の取付枠にねじ込むことにより取り付けられている。  
【００２０】
図１において、電源装置２は、各電源ユニット１２の各リレー６が当該電源ユニット１２の制御回路８によりオンオフ制御される。制御回路８は、不図示のマイコン等を有してなり、図３に示す制御用コネクタ１４を介して伝送線１９により操作装置３との間で送受信する。  
【００２１】
分岐ブレーカ９は、図２に示すように、２極を有して成り、その入力側が入力部１０としての入力端子１０ａ，１０ｂに接続されている。入力端子１０ａは、分岐ブレーカ９およびリレー６を介して出力部１１としての出力端子１１ａに接続され、入力端子１０ｂは、分岐ブレーカ９を介して出力部１１としての出力端子１１ｂに接続されている。  
【００２２】
リレー６は、例えば１極の開閉用の接点を有するものであり、当該接点が入力端子１０ａおよび出力端子１１ａの電源ライン上に設けられている。また、リレー６は、そのリレーコイル６ａの両端が制御回路８に接続されている。リレーコイル６ａは、本実施形態では、セット用コイルとリセット用コイルからなっている。すなわち、リレー６は、ラッチリレーであり、セット用コイルが制御回路８から一定時間に亘って通電されると、前記接点が閉成し、リセット用コイルが制御回路８から一定時間に亘って通電されると、前記接点が開成する。  
【００２３】
制御回路８は、操作装置３から送信された外部信号（オンオフ制御信号）がオン制御信号であると、セット用コイルを一定時間に亘って通電し、外部信号がオフ制御信号であると、リセット用コイルを一定時間に亘って通電する。こうして、リレー６は、入力端子１０ａ，１０ｂおよび出力端子１１ａ，１１ｂの間において、分岐ブレーカ９の出力側に設けられ、分岐ブレーカ９がオン操作されているときに、制御回路８の制御により、入力端子１０ａ，１０ｂおよび出力端子１１ａ，１１ｂの電気接続を開閉（オンオフ）する。  
【００２４】
そして、リレー６と並列的に開閉手段としてブレーカ７が接続されている。すなわち、ブレーカ７は、リレー６の両端間に接続され、オン操作によりリレー６の両接点間を短絡し、オフ操作によりリレー６の両接点間を開放する。ブレーカ７は、リレー６の故障のときや負荷４へ電力供給を制御回路８の制御に係わらず継続して行うときにオン操作される。なお、開閉手段は、ブレーカ７に限らず、手動操作が可能なスイッチであってもよい。  
【００２５】
制御回路８は、伝送線１９により操作装置３に接続され、操作装置３からリレー６の開閉を制御する外部信号（オンオフ制御信号）を入力する。そして、外部信号がオン制御信号であると、リレー６のセット用コイルに一定時間通電してリレー６を閉成させ、外部信号がオフ制御信号であると、リレー６のリセット用コイルに一定時間通電してリレー６を開成させるように制御する。  
【００２６】
また、制御回路８は、入力電圧検出部ＶＩに接続され、入力端子１０ａ，１０ｂに入力する入力電圧（交流電源Ｖｓの交流電圧）を検出し、出力電圧検出部ＶＯに接続され、出力端子１１ａ，１１ｂから出力する出力電圧（交流電源Ｖｓの交流電圧）を検出する。  
【００２７】
そして、制御回路８は、操作装置３の外部信号に応じてリレー６の開閉を制御するとともに、検出した入力電圧および出力電圧からリレー６の開閉状態を検出する。すなわち、制御回路８は、それぞれ検出した入力電圧および出力電圧において、出力電圧が入力電圧と略同等であると、リレー６が閉成されている状態であると判断し、出力電圧が零電圧であると、リレー６が開成されている状態であると判断する。  
【００２８】
そして、制御回路８は、出力電圧が外部信号に応じたリレー６の開閉によるものでないと判断するときには、伝送線１９を介して操作装置３に異常信号を出力する。すなわち、外部信号がオン制御信号のときに、リレー６を閉成するように制御したにも係わらず出力電圧が零電圧であると、異常信号を出力する。また、外部信号がオフ制御信号のときに、リレー６を開成するように制御したにも係わらず出力電圧が略入力電圧であると、異常信号を出力する。前者の場合は、リレーコイル６ａの断線やリレー６の故障によるリレー６の両接点間の開放が挙げられる。また、後者の場合は、リレー６の故障によるリレー６の両端間（両接点間）の短絡が挙げられる。  
【００２９】
そして、制御回路８は、図１に示すように、外部信号（オンオフ制御信号）に応じて電源ユニット１２の３系統のリレー６の開閉を制御し、各系統の入力電圧および出力電圧を検出するように構成されている。  
【００３０】
次に、本発明の第１の実施形態の作用について述べる。  
【００３１】
電源装置２は、電源ユニット１２毎に、入力端子１０ａ，１０ｂが主ブレーカ５に接続され、出力端子１１ａ，１１ｂが負荷４に接続される。そして、主ブレーカ５をオン（投入）すると、交流電源Ｖｓが各電源ユニット１２の入力端子１０ａ，１０ｂに入力する。  
【００３２】
各電源ユニット１２の制御回路８は、分岐ブレーカ９がオン（投入）されていると制御動作を開始する。制御回路８は、電源ユニット１２の３系統において、入力電圧検出部ＶＩから入力端子１０ａ，１０ｂに入力する入力電圧を検出し、出力電圧検出部ＶＯから出力端子１１ａ，１１ｂから出力する出力電圧を検出する。さらに、制御回路８は、操作装置３から送信された外部信号（オンオフ制御信号）を入力する。なお、リレー６に並列的に接続されたブレーカ７は、通常、オフされている。  
【００３３】
制御回路８は、リレー６に対して、外部信号に応じた制御を行う。すなわち、外部信号がオン制御信号のときには、リレー６のセット用コイルに一定時間に亘って電流を供給してリレー６を閉成させ、外部信号がオフ制御信号のときには、リレー６のリセット用コイルに一定時間に亘って電流を供給してリレー６を開成させる。リレー６は、ラッチリレーであるので、セット用コイルが一旦通電されると、閉成が機械的に保持され、リセット用コイルが一旦通電されると、開成が機械的に保持される。  
【００３４】
そして、制御回路８は、出力端子１１ａ，１１ｂから出力される出力電圧が有電圧（零電圧以上）であるか否かを判断する。すなわち、リレー６が閉成すると、入力端子１０ａ，１０ｂに入力した入力電圧（交流電源Ｖｓの交流電圧）が出力端子１１ａ，１１ｂに発生することになり、リレー６が開成すると、出力端子１１ａ，１１ｂに電圧が発生しなくなる。出力端子１１ａ，１１ｂに発生した交流電圧は、負荷４に入力される。これにより、負荷４は、所定の動作をする。  
【００３５】
制御回路８は、外部信号がオン制御信号であるときに、出力端子１１ａ，１１ｂに交流電圧が発生しているときには、上述の制御を繰り返し、出力端子１１ａ，１１ｂに交流電圧が発生していないときには、伝送線１９に異常信号を出力した後に、上述の制御を繰り返す。出力端子１１ａ，１１ｂに交流電圧が発生していない状態は、リレー６を閉成するように制御したにも係わらずリレー６が閉成していない状態を示しており、リレー６の故障やリレーコイル６ａへの断線などが想定される。  
【００３６】
また、制御回路８は、外部信号がオフ制御信号であるときに、出力端子１１ａ，１１ｂが無電圧であるときには、上述の制御を繰り返し、出力端子１１ａ，１１ｂに交流電圧が発生しているときには、伝送線１９に異常信号を出力した後に、上述の制御を繰り返す。出力端子１１ａ，１１ｂに交流電圧が発生している状態は、リレー６を開成するように制御したにも係わらずリレー６が開成していない状態を示しており、リレー６の両端間（両接点間）の短絡によるリレー６の故障が想定される。  
【００３７】
このように、制御回路８は、出力端子１１ａ，
１１ｂの出力電圧が外部信号（オンオフ制御信号）に応じたリレー６の開閉によるものでないと判断するときには、伝送線１９に異常信号を出力する。異常信号は、伝送線１９を介して操作装置３に入力される。操作装置３は、表示部に異常状態を表示する。これにより、操作装置３の操作者にリレー６の異常が報知されて、リレー６の交換が迅速に行える。  
【００３８】
そして、ブレーカ７がオフ状態のときであって、出力端子１１ａ，１１ｂから出力電圧が出力されないときには、ブレーカ７をオン操作することにより、操作装置３からの外部信号の入力に係わらず、入力端子１０ａ，１０ｂに入力する交流電源Ｖｓの交流電圧が出力端子１１ａ，１１ｂから負荷４に供給されるようになる。  
【００３９】
また、ブレーカ７がオフ状態のときに、操作装置３からオン制御信号を送信しているときであって、操作装置３の表示部に異常状態が表示されているときには、ブレーカ７をオン操作する。そして、操作装置３の表示部に異常状態が表示されなくなり、制御回路８から異常信号が出力されないことを確認することにより、リレー６は、その両端間が開放している故障であると確認できる。すなわち、ブレーカ７がオンすることにより、入力端子１０ａ，１０ｂおよび出力端子１１ａ，１１ｂがブレーカ７を介して電気接続され、出力端子１１ａ，１１ｂに略入力電圧の出力電圧が発生する。  
【００４０】
また、操作装置３からオフ制御信号を送信しているとき、ブレーカ７がオフであり、操作装置３の表示部に異常状態が表示されていて、制御回路８から異常信号が出力されていることを確認することにより、リレー６は、その両端間が短絡している故障であると確認できる。すなわち、ブレーカ７がオフし、リレー６が開成するように制御されているにも係わらず、出力端子１１ａ，１１ｂの出力電圧が有電圧であるのは、入力端子１０ａ，１０ｂおよび出力端子１１ａ，１１ｂがリレー６を介して電気接続されているものである。  
【００４１】
こうして、操作装置３の表示部に異常状態が表示されているときに、ブレーカ７のオンオフ操作によって、リレー６の故障が開放または短絡のどちらによるものか確認できる。  
【００４２】
そして、例えばスタジオ等で用いられる負荷制御システム１としての照明制御システムでは、一部または全ての電源ユニット１２において、負荷４であるＬＥＤ照明器具を常時点灯することがある。この場合は、当該電源ユニット１２のブレーカ７をオンにするのが好適である。これにより、操作装置３での誤操作や誤動作、操作装置３のシステムダウン等によって操作装置３から調光信号（外部信号）が送信されなくなり、または当該送信が中断しても、ＬＥＤ照明器具の消灯が回避されるようになる。  
【００４３】
本実施形態の電源装置２によれば、制御回路８は、入力端子１０ａ，１０ｂの入力電圧および出力端子１１ａ，１１ｂの出力電圧を入力し、外部信号に応じてリレー６を開閉し、出力電圧からリレー６の開閉状態を検出するので、外部信号に応じた出力電圧によってリレー６の故障の有無を判断することができるとともに、リレー６が故障となってリレー６のオンオフが外部から制御不能となったときには、リレー６に並列的に接続されたブレーカ７をオン操作することにより、入力端子１０ａ，１０ｂおよび出力端子１１ａ，１１ｂを電気接続して出力端子１１ａ，１１ｂから出力電圧を出力できるという効果を有する。
【００４４】
また、制御回路８は、出力端子１１ａ，１１ｂの出力電圧が外部信号に応じたリレー６の開閉によるものでないと判断するときには、異常信号を出力するので、当該異常信号を用いてリレー６の故障を容易に報知できるという効果を有する。
【００４５】
また、リレー６は、ラッチリレーであるので、制御回路８は、リレー６を開閉するときにリレーコイル６ａを常時通電する必要がなく、これにより、電源装置２の省電力を図ることができるという効果を有する。
【００４６】
また、リレー６に並列的に接続される開閉手段は、ブレーカ７であるので、小型で電気容量を大きくすることができ、電流を流す状態で入り切りできるという効果を有する。
【００４７】
そして、本実施形態の負荷制御システム１は、電源装置２が外部信号に応じてリレー６を開閉し、出力電圧からリレー６の開閉状態を検出するので、リレー６の故障の有無を判断できるとともに、ブレーカ７をオン操作することによって操作装置３からの外部信号に係わらず負荷４に電源を供給できるという効果を有する。
【００４８】
次に、本発明の第２の実施形態について説明する。
【００４９】
本実施形態の電源装置２１は、図５に示すように、リレー６に並列的に開閉手段としてのブレーカ２２が接続されている。すなわち、電源装置２１は、図１〜図４において、ブレーカ７がブレーカ２２に置換された以外、電源装置２と同様に構成されている。
【００５０】
図５において、ブレーカ２２は、２極を有するものである。そして、２極のうちの一方の極の両端子２２ａ，２２ｂは、両端子２２ａ，２２ｂ間がリレー６の両端間（両接点間）と並列的となるように、リレー６の両端に接続されている。また、２極のうちの他方の極の両端子２２ｃ，２２ｄは、制御部としての制御回路８に接続されている。
【００５１】
ブレーカ２２は、オン操作されることにより、一方の極の両端子２２ａ，２２ｂおよび他方の極の両端子２２ｃ，２２ｄがそれぞれ同時に閉成する。また、ブレーカ２２は、オフ操作されることにより、一方の極の両端子２２ａ，２２ｂおよび他方の極の両端子２２ｃ，２２ｄがそれぞれ同時に開成する。そして、ブレーカ２２の両端子２２ａ，２２ｂが閉成することにより、リレー６の両端間（両接点間）が短絡され、入力端子１０ａ，１０ｂおよび出力端子１１ａ，１１ｂは、リレー６が開成状態であっても、電気接続される。
【００５２】
また、制御回路８には、ブレーカ２２の両端子２２ｃ，２２ｄが閉成することにより、両端子２２ｃ，２２ｄ間の短絡が入力され、両端子２２ｃ，２２ｄが開成することにより、両端子２２ｃ，２２ｄ間の開放が入力される。すなわち、制御回路８には、両端子２２ｃ，２２ｄの閉成により、ブレーカ２２のオン操作が入力され、両端子２２ｃ，２２ｄの開成により、ブレーカ２２のオフ操作が入力される。こうして、制御回路８は、両端子２２ｃ，２２ｄ間の開閉（開放および短絡）に応じて、ブレーカ２２のオンオフ操作を検出するように形成されている。
【００５３】
そして、制御回路８は、ブレーカ２２のオンオフ操作に応じた監視信号を伝送線１９により操作装置３に出力するように形成されている。操作装置３は、監視信号に応じて、表示部にブレーカ２２のオンオフ操作を表示する。これにより、操作装置３の操作者にブレーカ２２のオン状態またはオフ状態が報知される。
【００５４】
次に、本発明の第２の実施形態の作用について述べる。なお、第１の実施形態と異なる作用についてのみ説明する。  
【００５５】
制御回路８は、ブレーカ２２の両端子２２ｃ，２２ｄ間の開閉の状態、すなわちブレーカ２２のオンオフ操作の状態を入力（検出）し、ブレーカ２２の両端子２２ｃ，２２ｄ間の開閉（オンオフ）を判断する。  
【００５６】
そして、制御回路８は、外部信号のオン制御信号を入力しているときに、出力端子１１ａ，１１ｂに出力電圧が発生していなく、かつブレーカ２２の両端子２２ｃ，２２ｄ間が開放（オフ）であると異常信号を出力する。すなわち、外部信号に応じてリレー６を閉成するように制御したにも係わらず、出力端子１１ａ，１１ｂに略入力電圧の有電圧が発生せず、かつブレーカ２２がオフされている状態は、リレー６の開閉動作が機能していなく、リレー６の両端間（両接点間）が開放している状態である。したがって、制御回路８は、リレー６が故障しているとし、異常信号を出力する。  
【００５７】
また、制御回路８は、外部信号のオフ制御信号を入力しているときに、出力端子１１ａ，１１ｂに出力電圧が発生し、かつブレーカ２２の両端子２２ｃ，２２ｄ間が開放であると異常信号を出力する。すなわち、外部信号に応じてリレー６を開成するように制御したにも係わらず、出力端子１１ａ，１１ｂに有電圧の出力電圧が発生し、かつブレーカ２２がオフされている状態は、リレー６の開閉動作が機能していなく、リレー６の両端間（両接点間）が短絡している状態である。したがって、制御回路８は、リレー６が故障しているとし、異常信号を出力する。  
【００５８】
制御回路８から出力された異常信号は、伝送線１９を介して操作装置３に入力される。操作装置３は、異常信号に応じて、表示部に異常を表示する。これにより、操作装置３の操作者にリレー６の故障が報知される。ここで、制御回路８は、外部信号がオン制御信号であるときの異常信号の出力と、外部信号がオフ制御信号であるときの異常信号の出力とを異ならせることにより、操作装置３は、表示部に異なる表示をさせることができる。操作者は、異なる表示により、リレー６の開放の故障またはリレー６の短絡の故障を確認できる。また、制御回路８から同一の異常信号が出力されて操作装置３で同一の表示がされても、操作者は、異常の表示と、外部信号のオン制御信号またはオフ制御信号の送信とにより、リレー６の故障の判別が行える。すなわち、オン制御信号の送信時に異常の表示があると、リレー６の開放の故障であると判断でき、オフ制御信号の送信時に異常の表示があると、リレー６の短絡の故障と判断できる。  
【００５９】
本実施形態の電源装置２２によれば、制御回路８は、出力端子１１ａ，１１ｂの出力電圧からリレー６の開閉状態を検出し、リレー６に並列的に接続されるブレーカ２２の両端子間の開閉に応じてブレーカ２２のオンオフ操作の状態を検出するので、外部信号に応じた出力電圧によってリレー６の故障を自動的に判断できるとともに、リレー６の故障を判別できるという効果を有する。
【００６０】
また、制御回路８は、ブレーカ２２のオンオフ操作に応じた監視信号を出力するので、操作装置３などにおいて監視信号による表示を行うことにより、ブレーカ２２のオン操作またはオフ操作を確認することができるという効果を有する。
【００６１】
なお、本実施形態において、ブレーカ２２は、３極以上であってもよく、この場合には、２極を用いればよいものである。また、開閉手段は、ブレーカ２２でなく、手動操作が可能な２極以上のスイッチであってもよい。
【００６２】
また、本発明の上述した実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれるものである。
【符号の説明】
【００６３】
１…負荷制御システム、  ２，２１…電源装置、  ３…操作装置、  ４…負荷、  ６…リレー、  ７，２２…開閉手段としてのブレーカ、  ８…制御部としての制御回路、  １０…入力部、  １１…出力部
【図１】
2016046124.tif 000003
【図２】
2016046124.tif 000004
【図３】
2016046124.tif 000005
【図４】
2016046124.tif 000006
【図５】
2016046124.tif 000007